(57)【特許請求の範囲】
【請求項１】
工作機械に工具（１２）を取付けるためのチャック器具（１６）に焼きばめによって工具（１２）をクランプする方法において、冷却状態において、工具（１２）の柄（１３）がチャック器具（１６）の引込み部分（２４）に配置されて停止されるときに、柄（１３）が引込み部分（２４）の内部で心出しされ、その後に、保持部分（２２）が十分な程度まで熱膨張されるや否や、柄（１３）が重力の作用によってチャック器具（１６）の保持部分（２２）の中へ滑り込むことを特徴とする方法。
【請求項２】
引込み部分（２４）が、保持部分（２２）の外側端部に形成されていて、冷却状態において柄（１３）が引込み部分（２４）に配置されて停止されるときに、柄（１３）が引込み部分（２４）の内部で心出しされるような形状を有し、
冷却状態において、柄（１３）が引込み部分（２４）の内部に上から導入され、
保持部分（２２）が十分な程度まで熱膨張されるや否や、柄（１３）が重力の作用によって引込み部分（２４）を通って保持部分（２２）の中へ滑り込むことを特徴とする請求項１に記載の工具（１２）をクランプする方法。
【発明の詳細な説明】
【０００１】
【発明の属する技術分野】
本発明は、工具をクランプする方法に関するものである。
【０００２】
本発明は、更に、工具の焼きばめをするためのクランプ方法に関するものでもある。
【０００３】
【従来の技術】
先に説明した形式のチャック器具及びクランプ装置は、本文に開示内容の一部として組み込まれる米国特許明細書第５，２８０，６７１号から公知である。当該文献に拠れば、工具は、コレット・チャックの熱膨張可能な焼きばめ部分の中に締付けられる。チャック作業の間における過熱を回避し、且つとりわけ高い締付け力を保証すべく、コレット・チャックは、締付け作業の間、チャック器具の中に配置される。当該チャック器具は、焼きばめ部分がガスバーナーによって外部から熱膨張されている間、回転可能に設置される。焼きばめ部分の中に配置されることになる工具は、当該プロセスの間、位置決めブッシュの中に保持される。この位置決めブッシュは、その目的のために準備された位置決めブッシュの中における座ぐり領域によってコレット・チャックに対して心出しされる。その位置決めブッシュは、コレット・チャックに対して弾力的に装填されるので、工具は、焼きばめ部分がガスの炎によって生じる熱の作用によって十分に膨張されるや否や、焼きばめ部分の中へ直接に押し込まれることになる。
【０００４】
このようにして、均一な加熱が達成され、過熱は、当該プロセスの間におけるコレット・チャックの回転運動によって、更には、工具の弾力的な装填によって防止される。
【０００５】
しかしながら、種々の位置決めブッシュが、種々の工具直径のために準備されなければならず、更になお、工具がその中に導入されることになるコレット・チャックに対して心出しされる必要があることは、比較的費用が掛るものであると判明することになった。
【０００６】
【発明が解決しようとする課題】
本発明の１つの目的は、熱による焼きばめのためにチャック器具がその内部に配置されることになるクランプ方法を簡略化すべく、前述の形式のコレット・チャックを改良することである。
【０００７】
本発明の更なる目的は、締付けプロセスを可能な限り単純にすることである。
【０００８】
【課題を解決するための手段】
本発明の解決手段を例示すると、請求項１及び２に記載の工具クランプ方法である。
【０００９】
本発明の目的は、このような解決手段によって完全に成し遂げられる。
【００１０】
【発明の実施の形態】
前述の目的及びその他の目的は、本発明に拠れば、前述の形式のチャック器具（チャック装置）が、焼きばめ部分の外側端部に設けられ、内径が選択される引込み部分を備えて、当該内径は、工具の柄が、焼きばめ部分の冷却状態において、引込み部分の中へ挿入され得ることになり、且つその内部に心出しされ得ることを保証するものであるように成したという事実によって達成される。
【００１１】
本発明に拠れば、焼きばめ部分に対する工具の柄の取付け及び心出しは、焼きばめ部分の外側端部に設けられた引込み部分によって、冷却状態で既に保証されている。従って、もはや、工具の柄を、後者がコレット・チャックの中に締付けられている間に、心出しすることは必要ない。更になお、もはや、種々の工具の柄の直径のために、種々の位置決めブッシュを準備することも必要ない。
【００１２】
本発明の更なる好適な展開に拠れば、引込み部分には、保持部分への移行部を形成する円錐領域が連続することになる。
【００１３】
これは、保持部分の中への工具の柄の挿入を容易にするものである。
【００１４】
前述の形式のコレット・チャックの中における工具の焼きばめをするためのクランプ装置に関しては、本発明の目的は、チャック器具の取付け台が実質的に垂直方向に配列され、工具の柄が上から導入されることを許容し、保持部分が十分な程度まで熱膨張されるや否や、工具の柄が重力の作用によって引込み部分から保持部分の中へ滑り込むことが可能であるように成したという事実によって達成される。
【００１５】
好ましくは回転可能に駆動される取付け台の構造は、本発明に拠れば、このようにして相当に簡略化されるので、いかなるものであれ、チャック器具に対して心出しされなければならない位置決めブッシュを備える追加の位置決め手段は必要ないことになる。
【００１６】
更に、チャックされるべき工具の柄もまた、冷えた引込み部分の中へ上から簡単に導入される。
【００１７】
ここで、取付け台は、回転可能に設置され得ることになり、焼きばめ部分は、工具の柄が重力の作用によって引込み部分から保持部分の中へ滑り込むまで、加熱手段によって熱膨張されることが可能になる。
【００１８】
工具をチャックし且つチャック解除するためのクランプ装置は、このようにして相当に簡略化される。
【００１９】
本発明の更なる補足的な展開に拠れば、外部的な心出しの支援が引込み部分の上に設けられる。それは、心出し穿孔をその内部に設けた揺動アームの形状を有することが可能であり、工具の柄は、それを介して、引込み部分の中へ上から挿入され得る。
【００２０】
従って、引込み部分が、チャック器具の回転の間、それ自身だけで工具をすべて保持しなければならないということが回避される。好ましくは、心出し穿孔は、より大きな開口直径を有するものであって、単に工具の柄の傾きを防止するように機能するだけのものである。同じ揺動アームは、幾つかの種々の柄の直径のための幾つかの種々の心出し穿孔を設けられることが可能である。その場合には、チャック器具がその取付け台の中に締付けられた後、単に正しい心出し穿孔をその有効機能位置に揺動させることのみが必要となる。
【００２１】
前述の特徴及び以下で説明されることになる特徴は、指示された夫々の組合せばかりでなく、本発明の文脈を離れることなくその他の組合せにおいて或いは独立して使用されることも可能であると留意されるべきである。
【００２２】
本発明の更なる特徴及び利点は、本発明の所定の好適な実施例に関してその図面を参照して以下で提示される説明から明白になるであろう。
【００２３】
【実施例】
図１では、本発明に拠るクランプ装置が、参照番号１０によって概略的に示されている。参照番号１６で概略的に示されるチャック器具（チャック装置）は、コレット・チャックとして設計され、チャック器具を工作機械に取付けるための取付け部分１８と、工具１２を焼きばめ関係で締付けるために熱膨張されることが可能である焼きばめ部分２０とを含んで成る。取付け部分の精密な設計及び寸法は、チャック器具１６がそこで使用されることになる特定の工作機械に依存するものとなる。
【００２４】
図示された具体例では、取付け部分１８は、環状の溝３４がその中に設けられ、外側テーパ部３６に連続するように成した円筒形部分３２から構成される。
【００２５】
同様にして、焼きばめ部分２０の形状及び寸法もまた、工作機械における工具保持取付け具の特定の設計に依存するものとなる。図示された具体例では、焼きばめ部分は、加熱装置４２のガスの炎４４による焼きばめ部分２０の加熱の間に、熱の吸収及び配分を改良するものとして意図されるように成した、波形面２８を備える外側テーパ部２６を含んで成る。取付け部分２０は、更に、保持部分２２として機能し、軸方向ショルダ部３０と共に、工具１２の柄１３のための接合部を形成するように成した、中央の円筒形穿孔をも含んで成る。焼きばめされた工具１２に対して後になって作用する保持力がその中において形成される保持部分２２は、その外側端部において、内径が保持部分２２のものより僅かに大きいものである引込み部分２４に対して連続することになる。
【００２６】
図１では、階段状の移行部を有効に示すために、直径の差が誇張された。
【００２７】
保持部分２４の内径は、工具１２の柄１３がチャック器具１６の冷えた引込み部分２４の中へ上から導入され、同時に心出しされることをも可能にするようにして適切に寸法形成される。
【００２８】
引込み部分２４の中への柄１３の挿入を容易にすべく、補足的な心出し支援４６が、垂直方向に配列されるチャック器具１６の上側端部から十分な間隔を開けて配列されることも可能である。当該心出し支援は、例えば、揺動軸５０に取付けられ、内径が柄１３の外径より僅かに大きいものである心出し穿孔５２を設けられるように成した、アーム４８から構成されることが可能である。
【００２９】
この心出し支援４６は、必ずしも必要ではないが、それは、引込み部分２４の中への柄１３の迅速な挿入を容易にするものであり、同時に、傾きなどに起因するいかなる損傷をも防止することになる。種々の直径の柄１３を収容すべく、幾つかの種々の心出し穿孔が同じ揺動軸に設けられることも可能であり、そうすれば、それらの穿孔は、チャック器具１６がその取付け台１４の中に締付けられた後、簡単に正しい位置へ揺動されることが可能になる。
【００３０】
チャック器具１６の中において工具１２を締付けるためには、一旦、工具１２の柄１３が引込み部分２４の中へ挿入された後、取付け台１４が、矢印４０で示されたようにその垂直方向に延在する回転軸３８の廻りを回転可能であるように設置される。同時に、チャック器具１６の波形面２８が、加熱手段４２のガスの炎４４によって加熱される。取付け部分２２が熱の作用によって十分に膨張されるや否や、工具１２の柄１３は、それが軸方向ショルダ部３０に当接するまで、重力の作用によって保持部分２２の中へ滑り込むことになる。
【００３１】
一旦、チャック器具が冷却してしまうと、それは、取付け台１４から取り外される。このために、心出し支援４６は、それが存在するならば、先ず第１に工具１２から上向きに引き抜かれ、その後、側方に向かって揺動される。
【００３２】
工具１２を取り外す目的のためには、全体の取付け台１４が、好ましくは１８０度だけ旋回され、結果として、焼きばめ部分２０が再び十分に膨張されるので、工具１３は、重力の作用によってチャック器具から脱落し得ることになり、適当な方式で捕捉されることが可能になる。
【００３３】
図２は、参照番号５６によって概略的に示される、僅かに修正された本発明に拠るチャック器具の実施例を示している。２つの実施例において同様の部品が使用される場合には、それらは、同じ参照番号で示されるものとする。
【００３４】
取付け部分１８の僅かに変更された形状は別として、ここでもまたコレット・チャックとして設計されているチャック器具１６は、この場合には、図１を参照して上述されたチャック器具とは、本質的に以下の点で異なるものとする。ここでは、円錐領域２３が引込み部分２４と保持部分２２の間に設けられ、それによって、ここでもまた保持部分２２の内径ｄ１より僅かに大きい内径ｄ２を有するものである引込み部分２４からの移行部が、熱膨張された保持部分の中への重力の作用による摺動運動を容易にするより一様な形状を提示するように成したことである。
【００３５】
ここでもまた、より良く認識させ得るために、直径の差ｄ2 −ｄ1 は、図２においても誇張された。
【００３６】
図１及び図２で示されたチャック器具は、両方ともコレット・チャックの形態を採っているが、本発明は、焼きばめ形式のスプリット・チャックにおける工具の締付けを支持するためにも同様に適したものであると理解される。
【図面の簡単な説明】
【図１】  工具の柄をチャック器具の中にチャックし、当該チャック器具が締付けられて回転可能に駆動されるように成した、本発明方法を実施するクランプ装置の簡略化された略図を示す。
【図２】  図１のチャック器具と比べて僅かに修正された、本発明方法を実施するチャック器具に関する長手方向の部分的な断面図を示す。
【符号の説明】
１０    クランプ装置
１２    工具
１３    柄
１４    取付け台
１６    チャック器具
１８    取付け部分
２０    焼きばめ部分
２２    保持部分
２８    波形面
３０    軸方向ショルダ部
３２    円筒形部分
３４    溝
３６    外側テーパ部
３８    回転軸
４２    加熱装置
４４    ガスの炎
４６    心出し支援
４８    アーム
５０    揺動軸
５２    心出し穿孔
【図１】
0004317936.tif 000002
【図２】
0004317936.tif 000003